(57)【要約】【課題】インク袋にインクを充填して封止するためのインク充填封止装置全体が複雑で高価なものになり、生産性が低下し、あるいは、充填口部を簡単かつ確実に封止することができない。【解決手段】インク袋１の保持部材３に設けたインク充填口部１３を溶着封止する溶着ヘッド１４１、１４２を備え、溶着ヘッド１４１、１４２に温度差を設けて、相対する方向から溶着ヘッド１４１、１４２を押し付けることでインク充填口部１３の融着部分の形状１６ａ、１６ｂが非対称形状になるようにして溶着封止する。【選択図】  図３０
2004314554.tif 000002
【特許請求の範囲】
【請求項１】
液体を内部に充填するための筒状の液体充填口部を有する液体収容袋において、前記筒状の液体充填口部はその一部が相対する方向から融着封止され、溶融部分の形状が非対称形状であることを特徴とする液体収容袋。
【請求項２】
請求項１に記載の液体収容袋において、前記液体充填口部は、メルトフローレートが５．５〜７．０（ｇ／１０分）以内の材質で形成されていることを特徴とする液体収容袋。
【請求項３】
請求項１又は２に記載の液体収容袋において、前記液体充填口部は、融点とビカット軟化点の温度差が９〜１２（℃）以内である材質で形成されていることを特徴とする液体収容袋。
【請求項４】
液体収容袋を収納した液体カートリッジにおいて、前記液体収容袋が請求項１ないし３のいずれかに記載の液体収容袋であることを特徴とする液体カートリッジ。
【請求項５】
液体収容袋を収納した液体カートリッジを装填可能な可能な画像形成装置において、前記液体カートリッジが請求項４に記載の液体カートリッジであることを特徴とする画像形成装置。
【請求項６】
液体を内部に充填するための筒状の液体充填口部を有する液体収容袋の前記筒状の液体充填口部を封止する封止方法であって、前記液体充填口部に相対する２方向から温度の異なる溶着ヘッドをそれぞれ押し付けて前記液体充填口部を溶着して封止することを特徴とする液体収容袋の封止方法。
【請求項７】
請求項６に記載の液体収容袋の封止方法において、前記各溶着ヘッドの温度の差が１０〜４０℃の範囲内にあることを特徴とする液体収容袋の封止方法。
【請求項８】
請求項６又は７に記載の液体収容袋の封止方法において、前記液体収容袋の液体充填口部は、メルトフローレートが５．５〜７．０（ｇ／１０分）以内の材質で形成されていることを特徴とする液体収容袋の封止方法。
【請求項９】
請求項６ないし８のいずれかに記載の液体収容袋の封止方法において、前記液体収容袋の液体充填口部は、融点とビカット軟化点の温度差が８〜１２（℃）以内である材質で形成されていることを特徴とする液体収容袋の封止方法。
【請求項１０】
請求項６又は７に記載の液体収容袋の封止方法において、溶着開始前に前記溶着ヘッドの輻射熱によって前記液体充填口部の予備加熱を行うことを特徴とする液体収容袋の封止方法。
【請求項１１】
液体を内部に充填するための筒状の液体充填口部を有する液体収容袋の前記筒状の液体充填口部を封止する封止装置であって、前記液体充填口部を挟んで対向する少なくとも２つの溶着ヘッドを進退可能に設けるとともに、各溶着ヘッドの温度を異ならせ、この温度の異なる各溶着ヘッドを前記液体充填口部にそれぞれ押し付けて溶着して封止することを特徴とする液体収容袋の封止装置。
【請求項１２】
請求項１１に記載の液体収容袋の封止装置において、前記各溶着ヘッドの温度の差が１０〜４０℃の範囲内に維持されることを特徴とする液体収容袋の封止装置。
【請求項１３】
請求項１１又は１２に記載の液体収容袋の封止装置において、この封止装置は、メルトフローレートが５．５〜７．０（ｇ／１０分）以内の材質で形成されている液体充填口部を有する前記液体収容袋を封止するための装置であることを特徴とする液体収容袋の封止装置。
【請求項１４】
請求項１１ないし１３のいずれかに記載の液体収容袋の封止装置において、この封止装置は、融点とビカット軟化点の温度差が９〜１２（℃）以内である材質で形成されている液体充填口部を有する前記液体収容袋を封止するための装置であることを特徴とする液体収容袋の封止装置。
【請求項１５】
請求項１１又は１２に記載の液体収容袋の封止装置において、溶着開始前に前記溶着ヘッドの輻射熱によって前記液体充填口部の予備加熱を行うことを特徴とする液体収容袋の封止装置。
【発明の詳細な説明】
【０００１】
【産業上の利用分野】
本発明は液体収容袋、液体カートリッジ及びインクジェット記録装置並びに液体収容袋の封止方法及び封止装置に関する。
【０００２】
【特許文献１】特開平１０−２０２９０１号公報
【特許文献２】特開平１０−２０２９００号公報
【特許文献３】特開平１０−１９３６３５号公報
【０００３】
【従来の技術】
プリンタ、ファクシミリ、複写装置等の画像形成装置（或いは画像記録装置ともいう。）として、例えばインクジェット記録装置が知られている。インクジェット記録装置は、記録ヘッドから用紙（紙に限定するものではなく、ＯＨＰなどを含み、画像が形成されるものの意味であり、被記録媒体あるいは記録媒体、記録紙などとも称される。）にインクを吐出して記録を行うものであり、高精細な画像を高速で記録することができ、ランニングコストが安く、騒音が少なく、しかも、多色のインクを使用してカラー画像を記録するのが容易であるなどの利点を有している。
【０００４】
このようなインクジェット記録装置として、インクタンク（インクカートリッジ）をキャリッジに搭載し記録ヘッドとともに一体的に記録媒体に沿って往復運動するシャトルタイプのものが一般的であったが、このようなキャリッジ搭載型インクカートリッジでは内蔵できるインクの量に限界があるため、大量に印刷を行う機種ではインクカートリッジを本体の固定部に設置し、キャリッジまで柔軟性のあるパイプなどを通してインクを供給するインクカートリッジ本体設置タイプのインクジェット記録装置が使われている。
【０００５】
ところで、インクカートリッジとしては、キャリッジ搭載型ではカートリッジ内に入れた多孔質体の毛管力によりインクを吸収させて、多孔質体の孔径とインクの充填量を管理することにより、記録ヘッドに供給するインクの圧力を負圧に制御する構成のものが広く使用されている。
【０００６】
これに対し、インクカートリッジ本体設置型では記録ヘッドへ供給するインク圧力を制御する機能を装置本体のキャリッジに持っているため、インクカートリッジとしてはインク収容量が多く、密閉状態でのインク供給が可能なインク袋タイプが有利であり実用化されている。
【０００７】
このようなインクカートリッジとしては、例えば
【特許文献１】に記載されているように、堅い長方形のシェルからなる筐体内にインクを充填したもの、
【特許文献２】に記載されているように、インク出口を設けた可撓性を有する袋状のインク槽と、このインク槽を出し入れ可能な開口部を有するシャシ部（筐体）とを備え、インク槽をシャシ部に出し入れ可能にしたものも知られている。
【０００８】
さらに、図３５に示すように、インクを収納するインク収納部５０１と、インク収納部５０１を収納する筒状のケース５０２と、筒状ケース５０２の前面を覆う蓋部材５０３とを備え、インク収納部５０１に一体的に設けた保持部材５０４にインク充填用の封止された筒状のインク充填口部５０５、インク供給用の筒状のインク供給口部５０６等を備え、この保持部材５０４を筒状ケース５０２内に押し込んで筒状ケース５０２の壁面途中に設けた係止孔５０２ａに保持部材５０４の突起部５０４ａを係合させて、筒状ケース５０２に保持部材５０４を固定保持し、更に筒状ケース５０２の開口部に蓋部材５０３を嵌め込むようにしたインクカートリッジも知られている。
【０００９】
ここで、インク収納部５０１は、保持部材５０４と一体に枠体５１１を成形し、この枠体５１１の外側に内面側が樹脂フィルムで外面側がアルミフィルムからなるフィルム状部材５１２を溶着して形成している。
【００１０】
ところで、インクジェット記録装置において使用するインクとしては、主に水性インクが用いられている。水性インクは原材料を混合・分散する工程と濾過工程により製造されるが、製造されたインクをそのままインクタンクに充填して記録を行うと、インク中に溶存している窒素、酸素、炭酸ガス等各種の気体が記録ヘッドまでのインク流路や記録ヘッド内のインク流路で気泡となりドット抜け等の記録不良を引き起こす。
【００１１】
そこで、インクタンクにインクを充填する前にインク中の溶存気体を減らす脱気処理を行っている。脱気処理の方法としては、インクを圧力容器中で減圧しながら攪拌する方法や、気体分離膜を用いた脱気装置により脱気する方法が用いられる。
【００１２】
そして、このような方法で脱気したインクを、袋の中に空気を巻き込むことな
く充填・封止することが求められる。そこで、従来、
【特許文献３】に記載されているように、インク袋を減圧室に入れ、インク袋の周囲を減圧状態にした状態でインクを注入し、そのまま袋を熱溶着することによりインク袋内に空気を含むことなく封入する方法が知られている。
【００１３】
【発明が解決しようとする課題】
しかしながら、上述した
【特許文献１】に開示された方法では、減圧室を設け、この減圧室内にインク袋を溶着封止するための機構を組み込む必要があり、インク充填封止装置全体が複雑で高価なものになり、また、減圧する容積が大きくなるために減圧に要する時間が長くなり、生産性が低下するという課題がある。
【００１４】
そこで、前述した図３５で説明したようにインク排出口部（インクを外部に供給するインク供給口部である。）及び内部にインクを充填するためのインク充填口部を設け、排出口部から内部の気体を排出し、充填口部からインクを充填した上で、充填口部を封止することで、気体排出量も少なく、封止部分も小さくなり信頼性を向上させた上で生産性も確保できるが、このような充填口部を簡単に確実に封止することができないという課題がある。
【００１５】
本発明は上記の課題に鑑みてなされたものであり、簡単且つ確実に充填口部を封止した液体収容袋、この液体収容袋を備えた液体カートリッジ、この液体カートリッジを搭載する画像形成装置、液体収容袋の充填口部を簡単且つ確実に封止する封止方法及び装置を提供することを目的とする。
【００１６】
【課題を解決するための手段】
上記の課題を解決し目的を達成するため、本発明に係るインク袋は、液体を内部に充填するための筒状の液体充填口部を有する液体収容袋において、筒状の液体充填口部はその一部が相対する方向から融着封止され、溶融部分の形状が非対称形状である構成とした。
【００１７】
ここで、液体充填口部は、メルトフローレートが５．５〜７．０（ｇ／１０分）以内の材質で形成されていること、液体充填口部は、融点とビカット軟化点の温度差が９〜１２（℃）以内である材質で形成されていることが好ましい。
【００１８】
本発明に係る液体カートリッジは、本発明に係る液体収容袋を収納した構成とした。
【００１９】
本発明に係る画像形成装置は、本発明に係る液体カートリッジを使用する構成とした。
【００２０】
本発明に係る液体収容袋の封止方法は、液体を内部に充填するための筒状の液体充填口部を有する液体収容袋の前記筒状の液体充填口部を封止する封止方法であって、液体充填口部に相対する２方向から温度の異なる溶着ヘッドをそれぞれ押し付けて液体充填口部を溶着して封止する構成とした。
【００２１】
ここで、各溶着ヘッドの温度の差が１０〜４０℃の範囲内にあることが好ましい。また、液体収容袋の液体充填口部は、メルトフローレートが５．５〜７．０（ｇ／１０分）以内の材質で形成されていること、液体収容袋の液体充填口部は、融点とビカット軟化点の温度差が８〜１２（℃）以内である材質で形成されていることが好ましい。さらに、溶着開始前に溶着ヘッドの輻射熱によって液体充填口部の予備加熱を行うことが好ましい。
【００２２】
本発明に係る液体収容袋の封止装置は、液体を内部に充填するための筒状の液体充填口部を有する液体収容袋の前記筒状の液体充填口部を封止する封止装置であって、液体充填口部を挟んで対向する少なくとも２つの溶着ヘッドを進退可能に設けるとともに、各溶着ヘッドの温度を異ならせ、この温度の異なる各溶着ヘッドを液体充填口部にそれぞれ押し付けて溶着して封止する構成とした。
【００２３】
ここで、各溶着ヘッドの温度の差が１０〜４０℃の範囲内に維持されることが好ましい。また、メルトフローレートが５．５〜７．０（ｇ／１０分）以内の材質で形成されている液体充填口部を有する液体収容袋を封止するための装置であること、融点とビカット軟化点の温度差が９〜１２（℃）以内である材質で形成されている液体充填口部を有する液体収容袋を封止するための装置であることが好ましい。さらに、溶着開始前に溶着ヘッドの輻射熱によって前記液体充填口部の予備加熱を行うことが好ましい。
【００２４】
【発明の実施の形態】
以下、本発明の実施の形態を添付図面を参照して説明する。まず、本発明に係る液体収容袋であるインク袋の構成に一例について図１ないし図１０を参照して説明する。なお、図１は同インク袋の側面説明図、図２は同インク袋にインクを充填した状態を説明する図１を下側から見た説明図、図３は同インク袋の袋本体を構成するアルミラミネートフィルムの断面説明図、図４は同インク袋の保持部材の側面説明図、図５は同インク袋のインク充填口部の拡大説明図、図６は図４の保持部材を背面側から見た説明図、図７は図４の保持部材を前面側から見た説明図、図８は同インク袋のインク排出口部の要部断面説明図、図９は同インク排出口部のキャップ部材の断面説明図、図１０は同キャップ部材の前面側から見た説明図である。
【００２５】
インク袋１は、図１及び図２に示すように、アルミラミネートフィルムからなる略四角形状（ここでは長方形状）の可撓性を有する袋本体２の長辺の一辺に樹脂製の保持部材３を固着（溶着）してなる。
【００２６】
袋本体２は、図３に示すように、ＬＤＰＥ２５上にドライラミネーション２６、アルミ膜２７、ドライラミネーション２８、ＰＡ２９を順次積層した構造のをアルミラミネートフィルム３０を用いて、図１及び図２に示すように、２枚のアルミラミネートフィルム３０、３０の周囲（図１に斜線を施した領域）を互いに、また保持部材３に溶着して袋状に形成したものである。この袋本体２は内部に形状を維持するための従前のような枠体がなく、全体として可撓性を有しているので、インクの使い残しが極めて少なくなる。
【００２７】
なお、ここでは、アルミラミネートフィルム３０から袋本体２を形成しているが、袋本体２を形成する部材の材質はこれに限るものではない。ただし、少なくともアルミラミネートフィルムを含む部材で形成することが好ましい。
【００２８】
また、この袋本体２の縦Ｈと横Ｗの比は、１≦１．５又は１．５≦１の範囲内とすることが、縦置き（水平方向にインクを排出（供給）する形態）で使用するときの静水圧の確保とインク残量をより少なくするために好ましい。
【００２９】
ここで、袋本体２の形状とインク排出口の静水圧との関係の一例について図図１１及び図１２を参照して説明する。
ここでは、図１１に示すように袋本体２の形状を横長（幅Ｗが高さＨより大きい）形状とした。そして、Ｈ×Ｗが、▲１▼９０×１１６（１：１．２９）、▲２▼７０×１０６（１：１．５）、▲３▼５０×１２６（１：２．５２）の２種類の袋本体を用意し、筐体（ケース）３として厚さが２種類（薄型のものと、厚型のもの）を用意した。
【００３０】
そして、これらの袋本体とケースとを組み合わせて、インク残量とインク排出口の静水圧との関係を測定した。この結果を図１２に示している。なお、５０×１２６厚型については測定していない。
【００３１】
インク排出口の静水圧は、０（ｇｆ／ｃｍ２）近辺がサブタンクに対してインクを安定して送るためには好ましい。そこで、図１２の結果を評価すると、縦：横の比が１：１．２９の上記▲１▼の袋本体のものでは、インク残量に対するインク排出口の静水圧が広い範囲で０（ｇｆ／ｃｍ２）近辺で安定している。
【００３２】
これに対し、縦：横の比が１：１．５の上記▲２▼の袋本体のものでは、目標の１００ｇを充填しようとしたところ７０ｇ程度でインク排出口の静水圧が２（ｇｆ／ｃｍ２）（薄型のもの）あるいは４（ｇｆ／ｃｍ２）（厚型のもの）に急上昇している。また、縦：横の比が１：２．５２の上記▲３▼の袋本体のものでは、目標の１００ｇを充填しようとしたところ５０ｇ程度でインク排出口の静水圧が急上昇している。
【００３３】
これより、後述するインクカートリッジのケース（筐体）の厚さにもよるが、袋本体２の構成としては、上述したように縦：横の比が１〜１．５の範囲内にあることが好ましいことが分かる。
【００３４】
保持部材３は、図１ないし図８に示すように、フランジ部１１の一方面側に袋本体２を熱溶着する連結部１２を一体形成し、フランジ部１１の他方面側に中空状のインク充填口部１３（図４では融着封止前の状態で図示）及び中空状のインク排出口部１４を一体形成している。
【００３５】
ここで、連結部１２は図６に示すように両端部（保持部材３の長手方向端部）をテーパ状に形成して略菱型形状とし、また外周面に凹部１２ａを形成している。これにより、袋本体２を形成するアルミラミネートフィルム３０、３０を隙間なく連結部１２の周面に確実に溶着することができる。
【００３６】
インク充填口部１３の内部にはフランジ部１１及び連結部１２を貫通するインク充填用通孔１５を形成し、このインク袋１の袋本体２内にインクを充填した後、インク充填口部１３の一部を熱融着して封止している。ここで、図５に示すように、インク充填口部１３の熱融着による封止部分（溶融部分）は、インク充填口部１３が相対する両側から溶かされ、この溶かされた溶融部分１６ａ、１６ｂの形状が左右非対称の形状になっている。
【００３７】
このように、インク充填口部１３を熱融着して封止することにより封止を確実にしかも容易に行うことができる。この場合、本発明者らの実験によると、融着封止部分の形状を左右対称になるように融着封止を行ったところ、封止が完全でなくなるという現象が生じ、この点について鋭意研究した結果、封止部の溶融部分の形状を非対称形状にすることで、封止が完全に行われる（歩留まりが向上する）ことが確認された。
【００３８】
また、インク排出口部１４の内部にはフランジ部１１及び連結部１２を貫通するインク排出用通孔１７を形成し、先端部にはインク排出用通孔１７をシールするための弾性部材を嵌め込む開口部１８を形成し、更に外周面には弾性部材を保持するキャップ部材を装着するための段差部１９を形成している。
【００３９】
そして、このインク排出口部１４の先端部には、図８に示すように、弾性部材２１を嵌め込んでキャップ部材２２で保持している。この弾性部材２１としては、シリコン、フッ素、ブチル等のゴム材料からなることが好ましい。この弾性部材２１は記録装置本体側から中空で針状の供給針（インクを記録装置本体側に導入するためのインク導入手段である。）が刺し込まれたときに、密閉状態を維持したままで記録装置本体側へのインク供給を可能にするとともに、供給針が抜かれたときに復元して封止状態を維持するためのものである。
【００４０】
したがって、この弾性部材２１の形状は、円柱状（断面丸）、三角柱状、四角柱状、五角柱状、六角柱状、七角柱状、八角柱状などのいずれでもよく、特に形状が限定されるものではなく、上述したとおり密閉状態を維持できる形状であれば良い。
【００４１】
キャップ部材２２は、図９及び図１０に示すように、弾性部材２２の周縁部を押さえるフランジ部３５を有する筒状部材３６からなり、フランジ部３５には記録装置本体側からの供給針を差し込むための穴３７を形成し、筒状部には内方に折り曲げられた複数の係止片３８を形成している。なお、穴３７の形状も丸に限らず、三角、四角、五角、六角、七角、八角などのいずれでもよく、特に限定されるものである。
【００４２】
このキャップ部材２２をインク排出口部１４の先端部に嵌め込むことにより図８に示すように係止片３８がインク排出口部１４の段差部１９に係合して抜けなくなる。
【００４３】
ここで、保持部材３のインク排出口部１４は、図１に示すように、インク袋１の高さ方向の略中央部に配置している。これにより、縦置きでこのインク袋１を収納したインクカートリッジを使用する場合に、図３１に示したようにインク出口を一端部側に偏在させて設けた場合に比べて、インク袋１の袋本体２内でのインクの流れがスムーズになって略確実にインクを使い切ることができる。
【００４４】
さらに、保持部材３には、後述するインクカートリッジの筐体側に設けられる係止爪に係合する係合部４１、４２を一体的に形成している。そして、これらの係合部４１、４２に対応する部分にはフランジ部１１の側面に溝部１１ａ、１１ｂを形成している。
【００４５】
このように、このインク袋１は、可撓性を有する略四角形の袋本体２の一辺に保持部材３を固着してなり、保持部材３には、袋本体２内にインクを充填するためのインク充填口部１３と袋本体内のインクを排出するためのインク排出口部１４とを有するとともに、インク充填口部１３の一部を熱融着によって封止し、かつ、封止部分の相対する部分の形状が非対称形状である構成としたので、簡単かつ容易に、しかも確実にインク充填口部を封止することができる。
【００４６】
次に、本発明に係るインク袋の他の例について図１３ないし図１５をも参照して説明する。なお、図１３は同インク袋の側面説明図、図１４は同インク袋にインクを充填した状態の斜視説明図、図１５は同インク袋にインクを充填した状態を説明する図１３を下側から見た説明図である。
【００４７】
このインク袋１は、袋本体２を２枚アルミラミネートフィルム３０、３０の背面側に同じくアルミラミネートフィルム３０からなる背面部（底部）２ａを設けたものであり、このように３枚アルミラミネートフィルム３０を用いることによってインク袋１の容量を大きくすることができる。
【００４８】
次に、本発明に係るインクカートリッジについて図１６ないし図２１を参照して説明する。なお、図１６は同インクカートリッジの外観斜視説明図、図１７は同インクカートリッジの第３筐体を外した状態の概略斜視説明図、図１８は同インクカートリッジの前面側から見た正断面説明図、図１９は同インクカートリッジの第１筐体の側面説明図、図２０は同インクカートリッジの第２筐体の側面説明図、図２１は同インクカートリッジの第１筐体にインク袋を係止保持した状態の側面図である。
【００４９】
このインクカートリッジ５１は、インクを充填した本発明に係るインク袋１と、このインク袋１を収納するための筐体５３とを有する。この筐体５３は、第１筐体５４と、第２筐体５５と、第３筐体５６とから構成され、第１筐体５４と第２筐体５５とでインク袋１の側面を保護する保護カバーとなる筐体部分を構成している。すなわち、筐体５３はインク供給方向（インク排出方向）に平行な面でインク袋１を収納する第１筐体５４と第２筐体５５とに分割している。
【００５０】
そして、インクカートリッジ５１の筐体５３は、分割された略相似形の第１筐体５４と第２筐体５５を合わせて、その前面下側部分に第３筐体５６を嵌め込んで略直方体に組み立ててなり、組み立てた状態で、後述するように、後面側にインクカートリッジ５１の装置本体への着脱のために指等を掛け易くした凹み部６１及び引っ掛け部６２が形成され、前面側に装置本体へのインク排出口部１４が臨む開口７３が形成されている。
【００５１】
第１筐体５４は、図１９にも示すように、略矩形状の外形を有し、外周部には前記凹み部６１及び引っ掛け部６２を略半分に分割した凹み部６１Ａ及び引っ掛け部６２Ａと、第１筐体５４及び第２筐体５５とでインク袋１を保持した状態でインク充填装置によって充填を行うためにインク充填装置が進入可能な空間を形成するための切り欠き部６３Ａと、記録装置本体への装填、インク充填装置への装填などに用いるガイド部６４、６５とを一体に形成している。
【００５２】
また、第１筐体５４の内壁面の三隅には後述する第２筐体５５の係止爪が係合する係合部６６ａ、６６ｂ、６６ｃを形成している。さらに、第１筐体５４の内壁面には、インク袋１の保持部材３を係止して保持するために、保持部材３の保持位置を決める位置決め部６７、６８を立設するとともに、保持部材３の係合突部４１、４２を係止する係止爪７１、７２を立設している。これらの位置決め部６７、６８、係止爪７１、７２によってインク袋１の保持部材３を保持する保持する保持手段、ここでは係止保持手段（係止して保持する手段）を構成している。
【００５３】
さらに、第１筐体５４の前面（装置本体に装填するときの前面）には前記開口７３の一部を形成するための約１／４の円弧状部７３Ａを形成している。
【００５４】
また、第１筐体５４には、第３筐体５６を嵌め込むときに第３筐体５６の係止爪が係合する係合凹部７９を形成している。
【００５５】
第２筐体５５は、図２０にも示すように、第１筐体５４と略相似な外形を有し、外周部には前記凹み部６１及び引っ掛け部６２を略半分に分割した凹み部６１Ｂ及び引っ掛け部６２Ｂと、第１筐体５４及び第２筐体５５とでインク袋２を保持した状態でインク充填装置によって充填を行うためにインク充填装置が進入可能な空間を形成するための切り欠き部６３Ｂと、インクカートリッジ５１のインク袋１に充填されたインクの色を表すための突起片からなる識別手段８４とを有している。
【００５６】
また、第２筐体５５の内壁面の三隅には前述した第１筐体５４の係合部６６ａ、６６ｂ、６６ｃにそれぞれ係合して引っ掛かる係止爪８６ａ、８６ｂ、８６ｃを一体的に形成している。さらに、第２筐体５５の内壁面には、インク袋１の保持部材３を嵌め込む溝部を有する嵌め込み部８７、８８を設けている。
【００５７】
さらに、第２筐体５５の前面（装置本体に装填するときの前面）には前記開口７３を形成するための約１／４の円弧状部７３Ｂを形成している。
【００５８】
また、第２筐体５５には、第３筐体５６を嵌め込むときに第３筐体５６の係止爪が係合する係合凹部８９を形成している。
【００５９】
第３筐体５６は、図１７に示すように、第１筐体５４と第２筐体５５とを合わせた状態で、第１筐体５４及び第２筐体５５のインク供給側前面の切り欠き部６３Ａ、６３Ｂに嵌め込まれる。この第３筐体５６には、第１筐体５４及び第２筐体５５の係合凹部７９、８９にそれぞれ係合する係止爪９１、９２を設け、た、前記開口７３を形成するための約１／２の円弧状部７３Ｃを形成している。
【００６０】
このように構成したので、このインクカートリッジ５１を製造する（組み立てる）には、図２１に示すように、インク袋１の保持部材３を第１筐体５４の位置決め部６７、６８で位置決めしながら押し付けることにより、第１筐体５４の係止爪７１、７２がインク袋１の保持部材３の係合突部４１、４２をそれぞれ係止するので、保持部材３は第１筐体５４に係止保持される。
【００６１】
その後、第２筐体５５を第１筐体５４上に重ね合わせて、第１筐体５４と第２筐体５５の外面側から押し付けることによって、第１筐体５４の係合部６６ａ〜６６ｃに第２筐体５５の係止爪８６ａ〜８６ｃが引っ掛かって係止するので、第１筐体５４と第２筐体５５の組み立て体（図１６参照）が出来あがる。
【００６２】
そこで、図１７に示すように、第３筐体５６を第１筐体５４及び第２筐体５５に嵌め込むことによって、第３筐体５６の係止爪９１、９１が第１筐体５４及び第２筐体５５の係合凹部７９、８９に引っ掛かって係止するので、図１６に示すようなインクカートリッジ５１が組みあがる。
【００６３】
次に、本発明に係る封止方法及び封止装置を含むインク袋１にインクを充填する充填方法及び装置について図２２及び図２３を参照して説明する。なお、図２２は同充填装置の全体構成説明図である。
この充填装置は、ストック容器１０１にストックされた脱気したインク１００をカプラ１０２を介してクッションタンク１０３に送り、このクッションタンク１０３からカプラ１０４を介してインクを脱気装置１０５に送り込む。なお、クッションタンク１０３内はエアーフィルタ１０３ａを介して大気に接続され、またバルブ１０３ｂが接続されている。
【００６４】
この脱気装置１０５は、循環経路１０６内に循環ポンプ１０７、脱気モジュール１０８、バルブ１０９、１１０を含み、脱気モジュール１０８には脱気真空ポンプ１１１及び脱気真空開放弁１１２がそれぞれ接続され、インク１０１を循環ポンプ１０７によって循環経路１０６内で循環させながら、脱気真空ポンプ１１１を作動させて脱気モジュール１０８によってインク１００の脱気を行う。なお、この脱気装置１０５の循環経路１０８にはバルブ１１３、バルブ１１４と１１５の直列回路もそれぞれ接続されている。
【００６５】
そして、この脱気装置１０５の循環経路１０６を経路１２０によってボールバルブ１２１を介してシリンジ３方弁１２２の入口側１２２ａに接続している。このシリンジ３方弁１２２の共通側１２２ｃにはシリンジ計量ポンプ１２３を接続している。なお、経路１２０にはバルブ１２４を接続している。
【００６６】
さらに、シリンジ３方弁１２２の出口側１２２ｂは経路１２５及びフィルタ１２６を介してノズル３方弁１２７の供給側１２７ａに接続し、このノズル３方弁１２７の共通側１２７ｃにはインク袋１へのインク１００の充填を行うための充填ノズル１２８を接続している。また、ノズル３方弁１２７の真空側１２７ｂには経路１３１及び大気３方弁１３２を介してトラップ手段１３３に接続し、このトラップ手段１３３にはワーク真空ポンプ１３４を接続している。
【００６７】
ここで、図２３をも参照して、充填ノズル１２８はノズル保持部材１４０に取り付け保持されている。そして、この充填ノズル１２８の下側にはインク袋１のインク充填口部１３を２つの相対する側から融着するための溶着ヘッド１４１、１４２をそれぞれ図２３で矢示方向に進退自在に配設している。
【００６８】
これらの溶着ヘッド１４１、１４２は先端部が１４１ａ、１４２ａを略三角形状に形成し、温度センサ装着用穴１４３が設けられて内部に温度センサが装着されている。また、溶着ヘッド１４１、１４２の内部にはヘッドを加熱するためのヒータ１４４、１４４が埋め込まれている。
【００６９】
さらに、これらの溶着ヘッド１４１、１４２の下方側にはインク袋１の排気を行うためのクランパ１５１、１５２を図２３で矢示方向に進退自在に配設している。ここで、インク充填は、インク袋１をインクカートリッジ５１の第１筐体５４に保持した状態で行うので、第１筐体５４をクランパ１５１で押圧し、インク袋１の袋本体２をクランパ１５２で押圧する構成とし、このクランパ１５２の押圧部は積層構造の弾性部材１５２ａ、１５２ｂと剛性部材１５２ｃとで構成している。
【００７０】
また、図２２に示すように、溶着後のインク袋１のインク充填口部１３を冷却するための冷却ブローノズル１６１を配設し、この冷却ブローノズル１６１による冷却ブローを開閉するためのエアーブローバルブ１６２を設けている。
【００７１】
このように構成した充填装置の動作について図２４ないし図２７をも参照して説明する。
先ず、図２４の時点ｔ１で同図（ａ）に示すようにボールバルブ１２１を開き、同図（ｃ）に示すようにシリンジ３方弁１２２の入口側１２２ａを開く。そして、同図（ｌ）に示すようにシリンジ計量ポンプ１２３を徐々に下動させてシリンジ計量ポンプ１２３内にインクを吸引する。
【００７２】
一方、同図（ｉ）に示すように、図示しないワークホルダを上動させて、図２５に示すようにワークである第１筐体５４に装着したインク袋１を上動させて充填ノズル１２８をインク充填口部１３にセットする。そして、図２４（ｊ）に示すようにワーククランプ１５１、１５２の閉動作（図２５で矢示方向への移動）を開始して、図２６に示すようにインク袋１を第１筐体５４を介してワーククランパ１５１、１５２で押圧することにより、インク袋１の袋本体２の排気を行った後、図２７に示すようにワーククランパ１５１、１５２を元に戻す。
【００７３】
このとき、図２４（ｅ）に示すようにワーク大気開放弁１３２を開き、このワーク大気開放弁１３２を閉じるときに同図（ｇ）に示すようにノズル３方弁１２７の真空側１２７ｂを開く。
【００７４】
そして、図２４の時点ｔ２において、同図（ｇ）に示すようにノズル３方弁１２７の真空側１２７ｂを閉じるとともに、同図（ｄ）に示すようにシリンジ３方弁１２２の出口側１２２ｂを開き、ノズル３方弁１２７の供給側１２７ａを開いた後、シリンジ計量ポンプ１２３を上動させて、図２８に示すように充填ノズル１２８からインクを吐出させてインク袋１のインク充填口１３から袋本体２内にインクを充填する。
【００７５】
ここまでの間、図２４（ｍ）に示すように、溶着ヘッド１４１、１４２のヒータ電源はオン状態にしてヒータ１４４に通電しておくことにより、インク袋１のインク充填口部１３を予備加熱しておく。
【００７６】
そして、図２４の時点ｔ３において、図２９にも示すように溶着ヘッド１４１、１４２を同図の矢示方向に移動させてインク充填口部１３を相対する両側から押し当ててインク充填口部１３を融着して封止する。このとき、図２４（ｅ）に示すようにワーク大気開放弁１３２を開状態にする。
【００７７】
その後、図２４の時点ｔ４において、同図（ｍ）に示すようにヒータ電源をオフ状態にするとともに、エアーブローバルブ１６２を開き、インク充填口部１３に向かってエアーを吹き付け、インク充填口部１３の融着部を冷却を開始し、図２４の時点ｔ５において、図３０にも示すように溶着ヘッド１４１、１４２を同図の矢示方向に移動退避させ、図２４（ｅ）に示すようにワーク大気開放弁１３２を閉じるとともにノズル３方弁１２７の真空側１２７ｂを開状態にし、次いで同図（ｍ）に示すようにヒータ電源をオン状態にするとともにエアーブローバルブ１６２を閉じ、ノズル３方弁１２７の真空側１２７ｂを閉状態にした後、ホルダを下降させる。
【００７８】
次に、溶着ヘッド１４１、１４２による溶着（融着）条件とノズル充填口部１３の溶着封止部分の形状について説明する。
先ず、インク充填口部１３を表１に示す物性値を示す材質Ａ、Ｂ、Ｃの材料でそれぞれ形成した。なお、材質Ａとしては日本ポリケム社製のノバテックＨＪ３６０（商品名）、材質Ｂとしては日本ポリケム社製のノバテックＨＪ５６０（商品名）、材質Ｃとしては三井住友ポリオレフィン社製のウルトラゼックス４５７０（商品名）をそれぞれ使用し、物性値はいずれもメーカーの公表値である。
【００７９】
【表１】
2004314554.tif 000003
【００８０】
（実施例１〜９）
表２に示すように、溶着ヘッド１４１（左ヘッド）及び溶着ヘッド１４２（右ヘッド）の各ヘッド温度に１０℃〜４０℃の範囲内で差が生じるように制御して材質Ａ（実施例１〜５）、材質Ｂ（実施例６）、材質Ｃ（実施例７〜９）のインク充填口部１３の融着封止を行った。
【００８１】
なお、溶着時間及び予備加熱の有無についても変化させた。ここで、予備加熱有りでは、ヘッド１４１、１４２とノズル充填口部１３との距離を１．５ｍｍとしてヘッドからの輻射熱で溶着前に約１０秒間加熱した。また、予備加熱無しでは、ヘッド１４１、１４２とノズル充填口部１３との距離を１５ｍｍ以上離してヘッドからの輻射熱による加熱効果がない状態にした。
【００８２】
（比較例１、３）
表２に示すように、溶着ヘッド１４１（左ヘッド）及び溶着ヘッド１４２（右ヘッド）の各ヘッド温度に６０℃の差が生じるように制御して、材質Ａ（比較例１）、材質Ｂ（比較例３）のノズル充填口部１３の融着封止を行った。
【００８３】
（比較例２、４）
表２に示すように、溶着ヘッド１４１（左ヘッド）及び溶着ヘッド１４２（右ヘッド）のヘッド温度の差が「０」になるように制御して、材質Ａ（比較例２）、材質Ｂ（比較例４）のノズル充填口部１３の融着封止を行った。
【００８４】
そして、これらの実施例１〜９及び比較例１〜４で封止を行ったインク袋に３ｋｇの錘を載せて、インク充填口部１３からのインクの漏れを観察し、１〜５の５段階で評価した。なお、漏れが発生しない実用レベルは３以上である。この結果を表２に併せて示している。
【００８５】
【表２】
2004314554.tif 000004
【００８６】
この結果から、左右の溶着ヘッドに温度差を付けた実施例１〜９においては、いずれも溶着効果として実用レベルである３以上の評価を得られたが、左右のヘッドに温度差がない比較例２、４にあっては、いずれも溶着効果として実用レベルである３以上の評価を得られなかった。
【００８７】
これは、左右の溶着ヘッドの温度に差を付けることで、充填口部１３の材質の軟化、溶融のタイミングがずれることになり、溶着部の接着強度が確保されるものと考える。このように溶着ヘッドの温度に差を付けて融着封止した場合、充填口部１３の溶融部分の形状は図５で説明したように左右で非対称形状になり、言い換えれば、充填口部１３の溶融部分の形状を非対称形状にすることによってより確実な封止を行うことができる。
【００８８】
これに対して、左右の溶着ヘッドの温度差をなくした場合、充填口部１３の材質の軟化、変形は十分に進むが、接着強度が確保されず、袋の中のインクの圧力により接着面が剥離し、インクが進入することで封止不十分となり、結果としてインク漏れとなることが考えられる。
【００８９】
また、左右の溶着ヘッドに温度差を付け、この温度差を１０〜４０℃の範囲内にした実施例１〜９においては、いずれも溶着効果として実用レベルである３以上の評価を得られたが、左右のヘッドに温度差を付け、この温度差を６０℃にした比較例１、３にあっては、いずれも溶着効果として実用レベルである３以上の評価を得られなかった。
【００９０】
このことから、左右の溶着ヘッドの温度差は１０〜４０℃の範囲にすることが好ましいことが分かる。温度差が４０℃を越える場合には、低温側の軟化が進みにくくなるため溶着の確実性が低下するものと考えられる。
【００９１】
また、実施例１〜９の結果から、インク充填口部を形成する材質のメルトフローレートは５．５〜７．０（ｇ／１０分）の範囲内であることが好ましい。メルトフローレートは値が大きいほど溶融時の流れ出し量が多くなるため、溶着ヘッドを溶着部から離す時の糸引き現象を起こしやすくなる。そのため、本発明のように溶着封止（融着封止）を行う場合、メタルフローレートの値が少ない方が好ましいと考えられ、実用的には、実施例に記載したように５．５〜７．０（ｇ／１０分）の範囲内であれば溶着可能である。
【００９２】
さらに、インク充填口部の材質の融点とビカット軟化点の温度差（融点−ビカット軟化点）は８〜１２℃の範囲内であることが好ましい。融点と軟化点の温度は値が低いほど軟化、溶融に必要な熱エネルギーが少なくて済むためエネルギー効率、生産性の面で好ましい。そして、融点と軟化点の温度に差が大きいほど、柔らかくなるが流れ出さない状態を作り出すことが容易となり、溶着の確実性が高まると考えられるが、大きすぎると相対的に溶着効果が低下すると考えられる（実施例１〜６と実施例７〜９の対比）。したがって、実用的には実施例に記載したように８〜１２（℃）の範囲内で溶着可能である。
【００９３】
また、予備加熱についてみると、本溶着の前に、あらかじめ溶着部を加熱し温度を上げておくことで、本溶着の所要時間を短縮でき、また、周囲環境温度の変動による影響を受けにくくなるため、溶着・封止の確実性が向上する。
【００９４】
次に、本発明に係るインクカートリッジを使用する画像形成装置の一例について図３１ないし図３４を説明する。なお、図３１は本発明に係る画像形成装置としてのインクジェット記録装置の前方側から見た斜視説明図、図３２は同記録装置のインクカートリッジ装填部のカバーを開いた状態の斜視説明図、図３３は同記録装置の機構部の全体構成を説明する概略構成図、図３４は同機構部の要部平面説明図である。
【００９５】
このインクジェット記録装置は、装置本体２０１と、装置本体２０１に装着した用紙を装填するための給紙トレイ２０２と、装置本体２０１に装着され画像が記録（形成）された用紙をストックするための排紙トレイ２０３とを備えている。そして、装置本体２０１の上カバー２１１の上面は略平坦な面であり、装置本体２０１の前カバーの前面２１２が上面に対して斜め下後方に傾斜し、この傾斜した前面２１２の下方側に、前方（手前側）に突き出した排紙トレイ２０３及び給紙トレイ２０２を備えている。
【００９６】
さらに、前面２１２の一端部側には、前面２１２から前方側に突き出し、上カバー２１１よりも低くなった箇所にインクカートリッジ装填部２０４を有し、このインクカートリッジ装填部２０４の上面に操作キーや表示器などの操作部２０５を配置している。このインクカートリッジ装填部２０４には本発明に係るインクカートリッジ５１を装置本体前面側から脱着を行うための開閉可能な前カバー２１５を有している。
【００９７】
装置本体２０１内には、図３３及び図３４に示すように、図示しない左右の側板に横架したガイド部材であるガイドロッド２３１とステー２３２とでキャリッジ２３３を主走査方向に摺動自在に保持し、図示しない主走査モータによって図３４で矢示方向に移動走査する。
【００９８】
このキャリッジ２３３には、イエロー（Ｙ）、シアン（Ｃ）、マゼンタ（Ｍ）、ブラック（Ｂｋ）の各色のインク滴を吐出する４個のインクジェットヘッドからなる記録ヘッド２３４を複数のインク吐出口を主走査方向と交叉する方向に配列し、インク滴吐出方向を下方に向けて装着している。
【００９９】
記録ヘッド２３４を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどをインクを吐出するためのエネルギー発生手段として備えたものなどを使用できる。
【０１００】
また、キャリッジ２３３には、記録ヘッド２３４に各色のインクを供給するための各色のサブタンク２３５を搭載している。このサブタンク２３５に、図示しないインク供給チューブを介して、インクカートリッジ装填部２０５に装填された本発明に係るインクカートリッジ５１のインク袋１のインク排出口部１４からインクが補充供給される。
【０１０１】
一方、給紙トレイ２０３の用紙積載部（圧板）２４１上に積載した用紙２４２を給紙するための給紙部として、用紙積載部２４１から用紙２４２を１枚づつ分離給送する半月コロ（給紙コロ）２４３及び給紙コロ２４３に対向し、摩擦係数の大きな材質からなる分離パッド２４４を備え、この分離パッド２４４は給紙コロ２４３側に付勢されている。
【０１０２】
そして、この給紙部から給紙された用紙２４２を記録ヘッド２３４の下方側で搬送するための搬送部として、用紙２４２を静電吸着して搬送するための搬送ベルト２５１と、給紙部からガイド２４５を介して送られる用紙２４２を搬送ベルト２５１との間で挟んで搬送するためのカウンタローラ２５２と、略鉛直上方に送られる用紙２４２を略９０°方向転換させて搬送ベルト２５１上に倣わせるための搬送ガイド２５３と、押さえ部材２５４で搬送ベルト２５１側に付勢された先端加圧コロ２５５とを備えている。また、搬送ベルト２５１表面を帯電させるための帯電手段である帯電ローラ２５６を備えている。
【０１０３】
ここで、搬送ベルト２５１は、無端状ベルトであり、搬送ローラ２５７とテンションローラ２５８との間に掛け渡されて、ベルト搬送方向に周回するように構成している。この搬送ベルト２５１は、例えば、抵抗制御を行っていない純粋な厚さ４０μｍ程度の樹脂材、例えばＥＴＦＥピュア材で形成した用紙吸着面となる表層と、この表層と同材質でカーボンによる抵抗制御を行った裏層（中抵抗層、アース層）とを有している。
【０１０４】
また、搬送ベルト２５１の裏側には、記録ヘッド２３４による印写領域に対応してガイド部材２６１を配置している。
【０１０５】
さらに、記録ヘッド２３４で記録された用紙２４２を排紙するための排紙部として、搬送ベルト２５１から用紙２４２を分離するための分離爪２７１と、排紙ローラ２７２及び排紙コロ２７３とを備え、排紙ローラ２７２の下方に排紙トレイ２０３を備えている。
【０１０６】
また、装置本体２０１の背面部には両面給紙ユニット２８１が着脱自在に装着されている。この両面給紙ユニット２８１は搬送ベルト２５１の逆方向回転で戻される用紙２４２を取り込んで反転させて再度カウンタローラ２５２と搬送ベルト２５１との間に給紙する。また、この両面給紙ユニット２８１の上面には手差し給紙部２８２を設けている。
【０１０７】
このように構成したインクジェット記録装置においては、給紙部から用紙２４２が１枚ずつ分離給紙され、略鉛直上方に給紙された用紙２４２はガイド２４５で案内され、搬送ベルト２５１とカウンタローラ２５２との間に挟まれて搬送され、更に先端を搬送ガイド２５３で案内されて先端加圧コロ２５５で搬送ベルト２５１に押し付けられ、略９０°搬送方向を転換される。
【０１０８】
このとき、帯電ローラ２５６によって搬送ベルト２５７が帯電されており、用紙２４２は搬送ベルト２５１に静電吸着されて搬送される。そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号又は用紙２４２の後端が記録領域に到達した信号を受けることにより、記録動作を終了して、用紙２４２を排紙トレイ２０３に排紙する。
【０１０９】
そして、サブタンク２３５内のインクの残量ニアーエンドが検知されると、インクカートリッジ５１から所要量のインクがサブタンク２３５に補給される。
【０１１０】
このインクジェット記録装置では本発明に係るインクカートリッジ５１を備えているので、インクカートリッジ５１も使い切ったときには筐体５３を分解して内部のインク袋１だけを交換することが可能になり、また、インクカートリッジ５１を縦置きで前面装填構成としても、安定してインク供給を行えるので、装置本体２０１の上方が塞がって設置されているような場合、例えば、ラック内に収納したり、あるいは装置本体２０１の上面に物が置かれているような場合でも、インクカートリッジ５１の交換を容易に行なうことができる。
【０１１１】
なお、上記実施形態においては、本発明をキャリッジが走査するシリアル型（シャトル型）インクジェット記録装置に適用した例で説明したが、ライン型ヘッドを備えたライン型インクジェット記録装置にも同様に適用することができる。また、本発明に係るインクジェット記録装置は、インクジェットプリンタ以外にも、ファクシミリ装置、複写装置、プリンタ／ファックス／コピア複合機などにも適用することができる。さらに、液体収容袋、液体カートリッジ、画像形成装置としては、インク袋、インクカートリッジ、インクジェット記録装置に限らず、レジストあるいはＤＮＡ試料などの液体を収容する液体収容袋、液体カートリジ、画像形成装置などにも適用することができる。
【０１１２】
【発明の効果】
以上説明したように、本発明に係る液体収容袋によれば、液体充填口部はその一部が相対する方向から融着封止され、溶融部分の形状が非対称形状である構成としたので、充填口部を簡単かつ容易に確実に封止することができる。
【０１１３】
本発明に係る液体カートリッジによれば、本発明に係る液体収容袋を収納しているので、低コストで液体漏れの生じないカートリッジが得られる。
【０１１４】
本発明に係る画像形成装置によれば、本発明に係る液体カートリッジを使用するので、ランニングコストを低減することができる。
【０１１５】
本発明に係る液体収容袋の封止方法及び装置によれば、液体充填口部に相対する２方向から温度の異なる溶着ヘッドをそれぞれ押し付けて液体充填口部を溶着して封止するので、充填口部を簡単かつ容易に確実に封止することができ、生産性を向上することができる。
【図面の簡単な説明】
【図１】本発明に係る液体収容袋であるインク袋の側面説明図
【図２】同インク袋にインクを充填した状態を説明する図１を下側から見た説明図
【図３】同インク袋の袋本体を構成するアルミラミネートフィルムの断面説明図
【図４】同インク袋の保持部材の溶着封止前の状態の側面説明図
【図５】同インク袋の溶着封止状態の説明に供する側面拡大説明図
【図６】図５の保持部材を背面側から見た説明図
【図７】図５の保持部材を前面側から見た説明図
【図８】同インク袋のインク排出口部の要部断面説明図
【図９】同インク排出口部のキャップ部材の断面説明図
【図１０】同キャップ部材の前面側から見た説明図
【図１１】インク袋の縦横比と静水圧との関係の測定の説明に供する説明図
【図１２】インク袋の縦横比と静水圧との関係の測定結果の一例を示す説明図
【図１３】本発明に係るインク袋の他の例を示す側面説明図
【図１４】同インク袋にインクを充填した状態の斜視説明図
【図１５】同インク袋にインクを充填した状態を説明する図１４を下側から見た説明図
【図１６】本発明に係る液体カートリッジであるインクカートリッジの外観斜視説明図
【図１７】同インクカートリッジの第３筐体を外した状態の概略斜視説明図
【図１８】同インクカートリッジを前面側から見た正断面説明図
【図１９】同インクカートリッジの第１筐体の側面説明図
【図２０】同インクカートリッジの第２筐体の側面説明図
【図２１】同インクカートリッジの第１筐体にインク袋を係止保持した状態の側面図
【図２２】本発明に係る封止装置を含む充填装置の全体構成説明図
【図２３】同充填装置の封止装置部分の説明図
【図２４】同充填装置の作用説明に供するタイミング説明図
【図２５】同充填装置の動作説明に供する排気動作開始前の状態の説明図
【図２６】同充填装置の動作説明に供する排気動作中の状態の説明図
【図２７】同充填装置の動作説明に供する排気動作終了後の状態の説明図
【図２８】同充填装置の動作説明に供するインク充填中の状態の説明図
【図２９】同充填装置の動作説明に供する溶着封止中の状態の説明図
【図３０】同充填装置の動作説明に供する溶着封止完了後の状態の説明図
【図３１】本発明に係る画像形成装置としてのインクジェット記録装置の前方側から見た斜視説明図
【図３２】同記録装置のインクカートリッジ装填部のカバーを開いた状態の斜視説明図
【図３３】同記録装置の機構部の全体構成を説明する概略構成図
【図３４】同機構部の要部平面説明図
【図３５】従来のインクカートリッジの一例を示す分解斜視説明図
【符号の説明】
１…インク袋、２…袋本体、３…保持部材、１３…インク充填口部、１４…インク排出口部、５１…インクカートリッジ、１２８…充填ノズル、１４１、１４２…溶着ヘッド、１５１、１５２…ワーククランパ、２０１…装置本体、２０２…給紙トレイ、２０３…排紙トレイ、２０４…インクカートリッジ装填部、２３３…キャリッジ、２３４…記録ヘッド、２４２…用紙、２５１…搬送ベルト、２５６…帯電ローラ、２５７…搬送ローラ、２５８…テンションローラ。
【図１】
2004314554.tif 000005
【図２】
2004314554.tif 000006
【図３】
2004314554.tif 000007
【図４】
2004314554.tif 000008
【図５】
2004314554.tif 000009
【図６】
2004314554.tif 000010
【図７】
2004314554.tif 000011
【図８】
2004314554.tif 000012
【図９】
2004314554.tif 000013
【図１０】
2004314554.tif 000014
【図１１】
2004314554.tif 000015
【図１２】
2004314554.tif 000016
【図１３】
2004314554.tif 000017
【図１４】
2004314554.tif 000018
【図１５】
2004314554.tif 000019
【図１６】
2004314554.tif 000020
【図１７】
2004314554.tif 000021
【図１８】
2004314554.tif 000022
【図１９】
2004314554.tif 000023
【図２０】
2004314554.tif 000024
【図２１】
2004314554.tif 000025
【図２２】
2004314554.tif 000026
【図２３】
2004314554.tif 000027
【図２４】
2004314554.tif 000028
【図２５】
2004314554.tif 000029
【図２６】
2004314554.tif 000030
【図２７】
2004314554.tif 000031
【図２８】
2004314554.tif 000032
【図２９】
2004314554.tif 000033
【図３０】
2004314554.tif 000034
【図３１】
2004314554.tif 000035
【図３２】
2004314554.tif 000036
【図３３】
2004314554.tif 000037
【図３４】
2004314554.tif 000038
【図３５】
2004314554.tif 000039